(57)【特許請求の範囲】
【請求項１】
台の上に載せた犬に使用する犬用理容器具であって、
空気を通す多数の通孔を有し、犬の体を覆うことが可能な網状シート（１）と、
前記網状シートで犬の体を包み込むとき、前記網状シートの下端（６）の有する第１
開口部（５３）の開口度を調節可能な開口調節具（１１）と、
前記網状シートに穴（２２）を有し、この穴から手を通すことが可能な内筒（２１）と
を備え、
犬の体を前記網状シートにより包み込むとき、前記網状シートの通孔を通して外から内
に温風を通し、前記網状シートの内側の犬の体毛を乾燥させると、犬の体から抜けた抜毛
を前記網状シートの内側空間に取り込み、
前記網状シートは、内側の犬を外に逃がすことの可能な第２開口と、この前記第２開口を開閉可能なファスナ（４０）とを有し、前記ファスナにより前記第２開口を開けることで、乾燥後の前記網状シートの内側空間にある犬の抜毛を前記網状シートの内側空間に取り込みつつ、前記第２開口から犬を前記網状シートの外側へ解放させる犬用理容器具。
【請求項２】
前記第１開口調節具は、前記網状シートの下端（６）周りの長さを調節可能な紐（１３）である請求項１記載の犬用理容器具。
【請求項３】
前記内筒は、前記穴から内側に内筒状に延び、前記穴の外から人の手を通すと犬を直接
触ることが可能な網状内筒を有する請求項１または２記載の犬用理容器具。
【請求項４】
前記網状シートは、犬の体を包み込むとき、前記網状シートの内側に犬の胴体を位置し、前記網状シートの外側に犬の頭を突き出し可能な頭通し用穴（３２）を有する請求項１から３のいずれか一項に記載の犬用理容器具。
【請求項５】
前記網状シートは、前記頭通し用穴の内端が犬の首に節度感をもって閉じる伸縮可能な
首紐（３１）を有する請求項１又は２記載の犬用理容器具。
【発明の詳細な説明】
【技術分野】
【０００１】
本発明は、犬用理容器具に関するものである。
【背景技術】
【０００２】
従来、犬の理容において、シャンプーした後、ドライングする際、ドライヤから吹き出す温風を犬の体に直接当て、犬の体毛を乾かす。ドライングにおいて、ドライヤの風圧により体毛からの抜毛が周囲の空間に飛散したり、空間を仕切る部屋全体に浮遊することがある。
犬の体に温風を当てて体を乾燥するとき、犬の体から脱毛した抜毛が空間に浮遊するのを抑制する道具に関する先行技術文献は知られていない。
【発明の概要】
【発明が解決しようとする課題】
【０００３】
犬の体毛をドライングする際、犬の抜毛が多数発生すると、犬を理容するトリマーやグルーマーなどにとって、抜毛が眼に入ったり、口や鼻から吸い込むことがあり、人体に悪影響を与えることになる。また、犬の体から床やテーブルに落下した抜毛を処理する作業が繁雑になる。
本発明は、上述に鑑みてなされたものであり、その目的は、犬の抜毛が空中に飛散または浮遊するのを抑制する犬用理容器具を提供することにある。
【課題を解決するための手段】
【０００４】
本発明の犬用理容器具は、台の上に載せた犬に使用する犬用理容器具であって、空気を通す多数の通孔を有し、犬の体を覆うことが可能な網状シート（１）と、前記網状シートで犬の体を包み込むとき、前記網状シートの下端（６）の有する第１開口部（５３）の開口度を調節可能な開口調節具（１１）と、前記網状シートに穴（２２）を有し、この穴から手を通すことが可能な内筒（２１）とを備える。
犬の体を前記網状シートにより包み込むとき、前記網状シートの通孔を通して外から内
に温風を通し、前記網状シートの内側の犬の体毛を乾燥させると、犬の体から抜けた抜毛
を前記網状シートの内側空間に取り込む。
前記網状シートは、内側の犬を外に逃がすことの可能な第２開口と、この前記第２開口を開閉可能なファスナ（４０）とを有し、前記ファスナにより前記第２開口を開けることで、乾燥後の前記網状シートの内側空間にある犬の抜毛を前記網状シートの内側空間に取り込みつつ、前記第２開口から犬を前記網状シートの外側へ解放させる。
【０００５】
この犬用理容器具を用いて犬の体を乾燥するとき、犬の体に被せた網状シートの内側空間に犬の抜毛が閉じられるから、犬の体から脱毛した抜毛が空中に飛散または浮遊するのを抑制する。したがって、犬の周りの人体に悪影響が抑えられるし、脱毛した抜毛が落下しやすいから、部屋の床や台の上に載った抜毛の処理がしやすく、清掃がしやすいという効果がある。
【図面の簡単な説明】
【０００６】
【図１】第１実施例の犬用理容器具を示す側面図である。
【図２】第１実施例の犬用理容器具を示すものでファスナ開口部が開時の状態を示す側面図である。
【図３】図１のＩＩＩ方向矢視図である。
【図４】第１実施例の使用方法を示す側面斜視図である。
【図５】第１実施例の乾燥時による使用方法を示す側面図である。
【図６】第１実施例の犬離脱後の斜視図である。
【図７】第１実施例の使用方法の一例を説明するフローチャートである。
【図８】第２実施例の図３に対応する図である。
【図９】第３実施例の図１に対応する図である。
【図１０】第４実施例の図１に対応する図である。
【図１１】第５実施例の図６に対応する図である。
【発明を実施するための形態】
【０００７】
以下、本発明による実施例を図面に基づいて説明する。第４実施例は参考例に相当する。
【０００８】
（第１実施例）
本発明の第１実施例による犬用理容器具について図１から図７に基づいて説明する。
図１と図３に示す犬用理容器具は、空気を通すことが可能な多数の通孔を有する網状シート１であり、透視可能な網状シート本体２から構成される。
網状シート本体２は、犬の体を包み込むように覆うことが可能で、下端６に開口部５３を有する。網状シート本体２の通孔は、空気を通し、犬の抜毛が容易に通過しない程度の大きさである。
網状シート本体２は、前方向の網状シート前上面３、網状シート前下面４、及び後方向の網状シート後面５により構成される。
【０００９】
開口調節具１１は、網状シート１の開口部５３の開口度を調節可能な紐１３と、網状シート本体２の下端６を内側に折り込み、内側に紐１３を通す紐通し穴を形成する縫製部１２を有する。紐通し穴の入口と出口から飛び出す紐１３の両端は、網状シート前下面４の下端６の入口および出口から抜き出してある。これにより、紐１３の両端の抜き出し長さを伸縮させ、紐の有効長さを調節し結ぶことで、網状シート本体２の開口部５３の大きさを調節する。
【００１０】
内筒網２１は、一端が網状シート本体２の穴２２に接続し、外側空間から穴２２を経由して内側空間へと続く内筒網２１を有し、他端２３が内側空間に延びている。
内筒網２１の内径は、人の左手と左腕を通すことが可能な大きさである。穴２２に人の左手を通すことにより犬を直接触ることが可能となり犬の安全確認や犬の体毛が乾燥したか否か確認可能である。
【００１１】
首紐３１は、網状シート本体２の前面上部に形成される頭通し用穴３２の周囲に節度感をもって閉じる伸縮可能なゴムバンドが縫製されている。頭通し用穴３２の内径は、犬の頭を通す大きさである。頭通し用穴３２の大きさは、ゴムバンドの伸縮により調節可能となる。
網状シート１の装着時、頭通し用穴３２に犬の頭を通し、犬の首に素材の柔軟な伸縮可能なゴムバンドとなる首紐３１を装着する。これにより、頭通し用穴３２から犬の頭を外部へ突出させ、犬の呼吸や快活、快感、快楽を保持させる。
頭通し用穴３２から犬の頭を突出させることで、犬の頭は網状シート１の外側空間、犬の胴体は網状シート１の内側空間に位置する。また、頭通し用穴３２から犬の頭を引っ込めると、犬の頭と犬の胴体は網状シート１の内側空間に位置することになる。
【００１２】
網状シート１の前面で開閉可能なファスナ４０は、網状シート本体２に取り付けられる。開閉可能なファスナ４０は、犬の離脱用開口を形成するもので、ファスナ左引手４１、ファスナ右引手４２、ファスナ務歯左部４３、ファスナ務歯右部４４から構成される。網状シート本体２の前面中間部の水平方向前半分を占める開口を開閉可能なファスナ４０が縫製され、ファスナ右引手４２とファスナ左引手４１によりファスナ務歯４３、４４は両端両方向へ開閉可能となる。
【００１３】
網状シート１の水平方向前半分の開閉可能なファスナ４０の開口部は、図２、図６に示すように、網状シート１のファスナ全開時には犬の体全体が通る開口の大きさとなる。犬の頭が胴体とともに網状シート本体２の内側空間に入った後、閉状態のファスナ左引手４１、ファスナ右引手４２を両側に開く方向に移動し、ファスナ務歯４３，４４を開く。犬は体全体をファスナ全開時の開口部を通して網状シート本体２の外側空間へ通り抜けられる。網状シート本体２から犬を離脱するとき、図６に示す開口から矢印５４の方向に犬を外に逃がす。
【００１４】
次に、犬用理容器具としての網状シートの使い方について図１から図７に基づいて説明する。
【００１５】
犬の体をシャンピングし(Ｓ９１)、水洗いし、タオルで体毛の水分を拭き取る。
他方、図４と図５に示すように床４００に台脚１０１が置かれる台１００の上に犬の体を載せる。犬の体の上に網状シート１を被せ(Ｓ９２)、犬の胴体は網状シート１の内側空間に位置し、頭通し用穴３２から犬の頭を網状シート１の外側空間に出す。
【００１６】
次いで、台１００に固定されるアーム２００の上部に繋がれるリード２０１を首紐３１付近の網状シート本体２に掛ける。これにより、犬が台１００の上から落下するのを防止する。
網状シート１の下端６の開口部５３は台１００を覆う。縫製部１２を通す紐１３の有効長さを調節し、紐１３の先端部を結ぶことで、開口部５３の開口度を調節する。網状シート１は台１００の周囲に係止される。
【００１７】
乾燥開始前、網状シート１の開閉可能なファスナ４０は閉じている。
乾燥を開始するとき（Ｓ９３）、図５に示すように、台１００の後方向に操作者が立ち、右手に持つドライヤ３００から吹き出す温風を網状シート本体２の外側から通孔に通し、網状シート本体２の内側の犬の体毛に吹き付ける。これにより、犬の体毛を乾燥する。このとき、操作者の左手は、網状シート本体２の穴２２から内筒網２１の内部を通し、他端２３から犬の体に直接触れ、犬の体の乾燥度合いを点検する。犬の体毛の乾燥の際生じた体毛からの抜毛は網状シート１の内側空間に取り込まれる。
【００１８】
犬の体全体が乾燥したら、ドライヤ３００のスイッチをオフに切り替え、乾燥を終了する（Ｓ９４）。乾燥した後、網状シート１の首紐３１から犬の頭を解除する（Ｓ９５）。その後、頭通し用穴３２から網状シート本体２の内側空間に犬の頭を引っ込め、図６に示すように、ファスナ４０のファスナ左引手４１とファスナ右引手４２を両端に開け、ファスナ開口部を全開にする（Ｓ９６）。網状シート内側５２の開口部から矢印５４方向の外側空間に犬を逃す（Ｓ９７）。
【００１９】
網状シート本体２の中において、犬の体毛の抜毛は網状シート本体２の内部空間内で収まり、台１００の上あるいは床４００の上に落ちる。このため、抜毛は、部屋の空間に浮遊することもなく飛散することもなく、台１００の上または床４００に落ちる。したがって、清掃が容易に行える(Ｓ９８)。
【００２０】
（第２実施例）
次に第２実施例を図８に基づいて説明する。
網状シート６１は、網状シート本体６２に２個の内筒網６３、６４を有し、内筒網外穴６５、６６から内筒網内穴６７、６８へ網状シート本体６２の内側空間に延びる筒状網を設けている。
【００２１】
この第２実施例では、網状シート本体６２は、内筒網６３、６４を有することで、網状シート本体６２の外側空間から内筒網外穴６５から内筒網内穴６７へ内筒網６３を経由して、左手を通すことができるだけでなく、網状シート本体６２の外側空間から内筒網外穴６５、６６から内筒網内穴６７、６８へ内筒網６３、６４を経由して、左手と右手の両手を独立して網状シート本体６２の内部空間に通すことができる。これにより、網状シート本体６２の内部空間の犬の体毛に右手と左手がそれぞれ直接接触可能となる。
【００２２】
この第２実施例の他の基本的構成は、第１実施例と同様である。
台１００に載せた犬の体に網状シート６１を被せ、網状シート６１の頭通し用穴３２より犬の頭を突出させる。犬の頭は網状シート６１の外側空間に位置し、犬の胴体は網状シート６１の内側空間に位置する。
犬の首にアーム２００からのリード２０１を結び、台１００から犬が離脱しないようにする。
【００２３】
ドライヤ３００を用いて犬の体を乾かす際、ドライヤ３００から吹き出す温風は、網状シート本体６２の外側空間から通孔を通して内側空間に吹き抜け、犬の体毛に当たることで、犬の体毛を乾燥させる。
犬の体毛を乾燥する際、網状シート６１の外側空間から網状シート６１の右側面の内筒網外穴６６から内筒網内穴６８に人の右手を通し、網状シート６１の内側空間の犬の体を直接触ることで、犬の体毛の乾燥度合を確認する。
【００２４】
同様に網状シート６１の外側空間から網状シート６１の左側面の内筒網穴６５から内筒網内穴６７に人の左手を通し、網状シート６１の内側空間の犬の体を直接触ることで、犬の体毛の乾燥度合を確認する。
【００２５】
網状シート６１の１カ所より２カ所の内筒網穴６５、６６の方が犬を直接触る面積が拡大することにより、的確に乾燥具合を確認し乾きむらを抑制し乾燥度合を高める。
犬の体毛乾燥の際、ドライヤ３００の温風の風圧による犬の体毛からの抜毛は犬の周囲の空間に飛散や浮遊することなく、犬を覆う網状シート６１の内側空間へ取り込まれる。抜毛は、台１００または床４００の上に落下する。
したがって、乾燥の際に犬の体から離脱した体毛のうち、空間に浮遊する体毛が抑制されるから、台１００と床４００に集まる体毛の割合が多いから、体毛の処理がしやすいという効果は大きい。
【００２６】
なお、犬の体毛乾燥後は、網状シート６１のアーム２００からの犬の首のリード２０１を解除し、網状シート６１の頭通し用穴３２から犬の首の網状シート６１の伸縮可能なゴムバンドによる首紐３１を解除し、網状シート６１の内側空間に犬の体全体が位置する。次いで、網状シート６１の開閉可能な開口部のファスナ引手４１，４２を開け、ファスナ務歯４３，４４を開け前方の開口部を全開にする。犬は、網状シート６１の内側空間から前方開口部を通して外側空間へと離脱する。
【００２７】
（第３実施例）
次に第３実施例を図９に基づいて説明する。
第３実施例の網状シート７１の頭通し用穴は設けていない。
この第３実施例では、網状シート７１を犬の体に被せ犬の胴体だけでなく犬の頭も網状シート７１の内側空間に位置したまま、ドライヤ３００を用いて犬の体毛を乾燥させることが可能である。網状シート７１の頭通し用穴を設けないことにより、犬の体全体が網状シート７１の内側空間に位置し、犬の胴体の体毛の抜毛を網状シート７１の内側空間に取り込むだけでなく、犬の頭の体毛の抜毛をも網状シート７１の内側空間に取り込むことができる。
この第３実施例の他の基本的構成は、第１実施例と同様である。
台１００に乗せた犬の体全体に網状シート７１を被せ、犬の体全体は網状シート７１の内側空間に位置する。犬の首に網状シート７１の上からアーム２００からのリード２０１を結び、台１００から犬が離脱しないようにする。
【００２８】
ドライヤ３００を用いて犬の体を乾かす際、ドライヤ３００から吹き出す温風は、網状シート本体７２の外側空間から通孔を通して内側空間に吹き抜け、犬の体毛に当たることで、犬の体毛を乾燥させる。
犬の体毛を乾燥する際、網状シート７１の外側空間から網状シート７１の右側面の穴２２に人の右手を通し、網状シート７１の内側空間の犬の体を直接触ることで、犬の体毛の乾燥度合を確認する。
網状シートの頭通し用穴を設けていないことで、犬の胴体だけでなく犬の頭の体毛からの抜毛をも網状シート７１の内側空間に取り込むことが可能となり、空間に浮遊する体毛がより抑制され、台１００と床４００に集まる体毛の割合が多くなり体毛の処理がしやすいという効果を高める。
犬の体毛乾燥の際、ドライヤ３００の温風の風圧による犬の体毛からの抜毛は犬の周囲の空間に飛散や浮遊することなく、犬を覆う網状シート７１の内側空間へ取り込まれる。抜毛は、台１００または床４００の上に落下する。
したがって、乾燥の際に犬の体から離脱した体毛のうち、空間に浮遊する体毛が抑制されるから、台１００と床４００に集まる体毛の割合が多いから、体毛の処理がしやすいという効果は大きい。
【００２９】
なお、犬の体毛乾燥後は、網状シート７１のアーム２００からの犬の首のリード２０１を解除し、網状シート７１の開閉可能な開口部のファスナ引手４１，４２を開け、ファスナ務歯４３，４４を開け前方の開口部を全開にする。犬は、網状シート７１の内側空間から網状シート７１の前方開口部を通して外側空間へと離脱する。
網状シートの頭通し用穴を設けないことで、犬用理容器具はより簡易的な構造となり、網状シート装着時と網状シート離脱時において犬の頭を網状シート通し用穴に突出と引込の動作が不要となるまま使用可能という網状シート７１の使用方法においての煩わしさを解消する効果が高まる。
【００３０】
（第４実施例）
次に第４実施例を図１０に基づいて説明する。
第４実施例の網状シート８１の水平方向前半分の開閉可能なファスナによる離脱用開口は設けていない。
この第４実施例では、犬の体を通す網状シート開口は下端６のみとなる。これにより、網状シート８１を犬の体に装着する際に犬の体に被せた開口と同様の開口から犬の体毛乾燥後犬の体を離脱させることが可能となる。
この第４実施例の他の構成は、第１実施例と同様である。
台１００に載せた犬の体に網状シート８１を被せ、網状シート８１の頭通し用穴３２より犬の頭を突出させる。犬の頭は網状シート８１の外側空間に位置し、犬の胴体は網状シート８１の内側空間に位置する。
犬の首にアーム２００からのリード２０１を結び、台１００から犬が離脱しないようにする。
【００３１】
ドライヤ３００を用いて犬の体を乾かす際、ドライヤ３００から吹き出す温風は、網状シート本体８２の外側空間から通孔を通して内側空間に吹き抜け、犬の体毛に当たることで、犬の体毛を乾燥させる。
犬の体毛を乾燥する際、網状シート８１の外側空間から網状シート８１の右側面の穴２２に人の右手を通し、網状シート８１の内側空間の犬の体を直接触ることで、犬の体毛の乾燥度合を確認する。
犬の体毛乾燥の際、ドライヤ３００の温風の風圧による犬の体毛からの抜毛は犬の周囲の空間に飛散や浮遊することなく、犬を覆う網状シート８１の内側空間へ取り込まれる。抜毛は、台１００または床４００の上に落下する。
したがって、乾燥の際に犬の体から離脱した体毛のうち、空間に浮遊する体毛が抑制されるから、台１００と床４００に集まる体毛の割合が多いから、体毛の処理がしやすいという効果は大きい。
なお、犬の体毛乾燥後は、網状シート８１のアーム２００からの犬の首のリード２０１を解除し、網状シート８１の頭通し用穴３２から犬の首の網状シート８１の伸縮可能なゴムバンドによる首紐３１を解除し、網状シート８１の内側空間に犬の体全体が位置する。次いで、網状シート８１を上方向に持ち上げることで、網状シート８１の下端６の開口部５３より網状シート８１を犬の体より離脱させる。
網状シートの水平方向前半分の開閉可能なファスナによる離脱用開口を設けないことで、犬用理容器具はより簡易的な構造となり、網状シート装着時と網状シート離脱時において装着と離脱の開口が同一となるまま使用可能という網状シート８１の使用方法においての煩わしさを解消する効果が高まる。
【００３２】
（第５実施例）
次に第５実施例の犬用理容器具を図１１に基づいて説明する。
第５実施例の網状シート９１は、第１実施例の網状シート本体２に比べ、網状シート本体９２の下端９６を下方に延長した例である。
網状シート本体９２は、犬を載せる台１００の下方で延長し、この延長部９７の下端９６の開口部９３の開口を絞っている。
これにより、犬の体毛から脱毛した抜毛は、台１００の上、及び網状シート本体９２の延長部９７の内面９８に集められる。
【００３３】
（その他の実施例）
本発明の犬用理容器具を構成する網状シートは、犬の体に被せたときの開口部の大きさは、小型犬、中型犬、大型犬の大きさに対応するように定めることができる。開口調節具は、紐でなくともよく、開口部から外に抜毛が流出するのを抑制するよう開口度を絞る構成であってもよい。内筒は、網状のものでなくともよく、個数も限定されない。また、チワワ、柴犬など抜毛の多い犬種に適用すると効果は顕著である。
本発明は、グルーミングにおいてシャンプーした後にドライングする場合だけでなく、トリミング後にドライングする場合にも適用することができる。
【００３４】
以上、本発明は、上記実施例になんら限定されるものではなく、発明の趣旨を逸脱しない範囲において種々の実施形態で実施可能である。
【符号の説明】
【００３５】
１：網状シート、
２：網状シート本体、
３：網状シート前上面、
４：網状シート前下面、
５：網状シート後面、
６：下端、
１１：開口調節具、
１２：縫製部、
１３：紐、
２１：内筒網（内筒）、
２２：穴、
２３：他端、
３１：首紐、
３２：頭通し用穴、
４０：ファスナ、
４１：ファスナ左引手、
４２：ファスナ右引手、
４３：ファスナ務歯左部、
４４：ファスナ務歯右部、
５１：網状シート外側、
５２：網状シート内側、
５３：開口部、
６１：網状シート、
６２：網状シート本体、
６３：左内筒網、
６４：右内筒網、
６５：左内筒網外穴、
６６：右内筒網外穴、
６７：左内筒網内穴、
６８：右内筒網内穴、
７１：網状シート、
７２：網状シート本体、
８１：網状シート、
８２：網状シート本体、
９１：網状シート、
９２：網状シート本体、
９３：開口部、
９６：下端、
９７：延長部、
９８：内面、
１００：台、
１０１：台脚、
２００：アーム、
２０１：リード、
３００：ドライヤ、
４００：床。
【要約】
【課題】  犬の抜毛が空中に飛散または浮遊するのを抑制する犬用理容器具を提供する。
【解決手段】  犬の体を覆うことが可能な網状シート１は、網状シート本体２が空気を通す多数の通孔を有する。網状シート１は、網状シート本体２の開口部５３の開口度を調節可能な紐１３と、穴２２から手を通すことが可能な内筒２１とを備える。犬の体を網状シート１により包み込むとき、網状シート１の通孔を通して外から内に温風を通し、網状シート１の内側空間の犬の体毛を乾燥させると、犬の体から抜けた抜毛を網状シートの内側空間に取り込む。犬の体に被せた網状シートの内側空間に犬の抜毛が閉じられるから、抜毛が空中に飛散または浮遊するのを抑制する。したがって、犬の周りの人体に与える悪影響が抑えられる。
【選択図】  図１【図１】
0006957055.tif 000002
【図２】
0006957055.tif 000003
【図３】
0006957055.tif 000004
【図４】
0006957055.tif 000005
【図５】
0006957055.tif 000006
【図６】
0006957055.tif 000007
【図７】
0006957055.tif 000008
【図８】
0006957055.tif 000009
【図９】
0006957055.tif 000010
【図１０】
0006957055.tif 000011
【図１１】
0006957055.tif 000012